(57)【特許請求の範囲】
【請求項１】
人工海水の成分組成が、H+、及びOH-に加えて、Na+、Cl-、及びCa２+の成分のみから構成されるワムシ培養用人工海水。
【請求項２】
Na+と、Cl-と、Ca２+との質量比での比率が、Na+：Cl-：Ca２+＝５〜10：10〜15：0.1〜5であることを特徴とする請求項1記載のワムシ培養用人工海水。
【請求項３】
Na+、Cl-、Ca２+が、NaCl、CaCl2由来であることを特徴とする請求項1又は2項に記載のワムシ培養用人工海水。
【請求項４】
人工海水の成分組成が、H+、及びOH-に加えて、Na+、Cl-、Ca２+、及びHCO3-の成分のみから構成されるワムシ培養用人工海水。
【請求項５】
HCO3-がNaHCO3由来である請求項４記載のワムシ培養用人工海水。
【請求項６】
人工海水の成分組成が、H+、及びOH-に加えて、Na+、Cl-、及びCa２+の成分、並びにMgSO4、KCl、MgCl2からなる群から選択される1又は２種の成分のみから構成されるワムシ培養用人工海水。
【請求項７】
請求項１〜６項のいずれか1項に記載のワムシ培養用人工海水を使用することを特徴とする耐久卵の製造方法。
【請求項８】
耐久卵が、ワムシ由来のものであり、ワムシを前記人工海水を使用して培養することにより耐久卵を得ることを特徴とする請求項７記載の方法。
【請求項９】
培養開始時のワムシの密度を１個体／mL〜１０個体／mLとする請求項７又は８項に記載の方法。
【請求項１０】
前記培養を、飼育水を変更せずに行うことを特徴とする請求項７〜９項のいずれか1項に記載の方法。
【発明の詳細な説明】
【０００１】
【発明の属する技術分野】
本発明は、人工海水及びそれを用いた耐久卵の製造方法に関し、特に、一定成分を含有する人工海水及びそれを用いた耐久卵の製造方法に関する。
【０００２】
【従来の技術】
ミジンコ類、カイアシ類、ワムシ等の微生物は、魚貝類の有用な餌となりうる。特に、ワムシは、体長１００〜３００ミクロン程の、海や河口にすむ小型の動物性プランクトンで、主に水産養殖の現場で卵から孵化したばかりの仔稚魚に欠かせない大切な餌として利用されている。魚貝類の稚魚の本来の餌は、カイアシ類であるが、人工的に容易に大量培養できるという観点から、ワムシ、ミジンコ類などの微生物は、多くの種類の魚貝類の幼生プランクトン食の生物の餌として有用である。
【０００３】
したがって、このようなワムシ等の微生物は、有用魚貝類の種苗生産業において、孵化したばかりの仔魚に与える餌生物として汎用されている。かかる観点から、微生物を餌料用に積極的に培養することが行われている。
【０００４】
とりわけ、ワムシを例にとって説明すれば以下のようである。ワムシの培養は、基本的に、(1)ワムシの個体数の計数(毎日)、(2)クロレラの給餌(毎日)、(3)定期的な換水(3〜4日毎)、(4)培養密度の調製(増えすぎたワムシの間引き)の作業の繰り返しとなる。特に、ワムシ培養を行う手法には間引き方式とバッチ(植え継ぎ)方式がある。いずれの方式も増えたワムシを収穫して、仔魚の餌とすることが基本となる。間引き方式とは、引き続き同じ水槽でワムシの培養を行うときにワムシ収穫時に減った分だけ培養水を補充する方法をいい、バッチ方式とは、ワムシを収穫後、残ったワムシを新しい培養水を含んだ水槽に植え継いていく方法である。
【０００５】
ワムシの個体数の計数は、培養条件を判断するためのものである。計数からワムシの増殖率が高ければ良好であることを示す。増殖率が低ければ、ワムシの餌であるクロレラの給餌量が少ない、培養水が汚れている(換水を行う。)、水温が低い、溶存酸素が少ない(エアレーションを強くする)、及び培養密度が高すぎる(間引きを行う。)等の原因が考えられるので、原因をつきとめ対処する。
【０００６】
ワムシは、上述のように初期餌料であるため、ワムシを計画通りに培養できるかどうかが、有用魚貝類の種苗生産に大きく左右する。ワムシは各種苗生産事業場で独自の技術に基づいて培養されている。そのため、ほとんどの事業場では、ワムシの試用期間が、1年のうち6ヵ月以内であるにもかかわらず、周年にわたってワムシ培養を維持しなければならない。
【０００７】
これまでに、ワムシの両性生殖を活発にするために水温（Hagiwara ＆ Ｌｅｅ1991）、塩分（Hagiwara et al. 1988）を変えて培養を行なった例がある。
【０００８】
また、人工海水を使用して、生物の生残率を検討する例が知られている（日野1988）。
【０００９】
【（非）特許文献１】
Hagiwara A, Ceng-Sheng Lee. Resting Egg Formation of the L- and S- type Rotifer Brachionus plicatilis under Different Water Temperature. Nippon Suisan Gakkaishi 1991; 57: 1645-1650.
【（非）特許文献２】
Hagiwara A, Hino A, Hirano R. Effects of temperature and chlorinity on resting egg formation in the rotifer Brachionus plicatilis. Nippon Suisan Gakkaishi 1988; 54: 596-575.
【（非）特許文献３】
（日野 1988）日野明徳. 海産生物の飼育および大量培養用媒液としての食塩の利用. ソルトサイエンス研究財団助成研究報告書 1988; 87-104.
【００１０】
【発明が解決しようとする課題】
しかしながら、上記水温や塩分を変更して培養を行なった例においては、化学組成を含む培養海水について十分検討されていない。また、天然海水、特に沿岸海水では、その成分が比較的変動しやすく、内分泌撹乱物質等の有害物質を含んでいる可能性もある。
【００１１】
また上述の人工海水を使用して生物の生残率を調べた例では、特定目的のために有効な人工海水であるか否かについて検討がなされていない。
【００１２】
そこで、本発明の目的は、安易な人工海水を提供すると共に、当該人工海水を用いて、効率よく微生物の耐久卵を生産することにより、安定して当該微生物を供給することにある。
【００１３】
【課題を解決するための手段】
上記目的を達成するために、発明者らは、ワムシ等の耐久卵を形成するプランクトンについて、鋭意研究を積み重ねた結果、本発明の人工海水、及びこれを用いた耐久卵の製造方法を見出した。
【００１４】
本発明の人工海水は、少なくともNa+、Cl-、Ca２+、及びHCO3−を含有することを特徴とする。
【００１５】
また、本発明の人工海水の好ましい実施態様において、Na+と、Cl-と、Ca２+との質量比での比率が、Na+：Cl-：Ca２+＝５〜10：10〜15：0.1〜5であることを特徴とする。
【００１６】
また、本発明の人工海水の好ましい実施態様において、Na+、Cl-、Ca２+が、NaCl、CaCl2由来であることを特徴とする。
【００１７】
また、本発明の人工海水の好ましい実施態様において、さらに、K+、Mg2+、SO４２−からなる群から選択される少なくとも1種を含むことを特徴とする。
【００１８】
また、本発明の耐久卵の製造方法は、請求項１〜４項に記載の人工海水を使用することを特徴とする。
【００１９】
また、本発明の耐久卵の製造方法の好ましい実施態様において、耐久卵が、ワムシ由来のものであり、ワムシを前記人工海水を使用して培養することにより耐久卵を得ることを特徴とする。
【００２０】
また、本発明のワムシ耐久卵の製造方法の好ましい実施態様において、培養開始時のワムシの密度を１個体／mL〜１０個体／mLとすることを特徴とする。
【００２１】
また、本発明のワムシ耐久卵の製造方法の好ましい実施態様において、前記培養を、飼育水を変更せずに行うことを特徴とする。
【００２２】
【発明の実施の形態】
本発明の人工海水は、少なくともNa+、Cl-、Ca２+、及びHCO3−を含有する。本発明の人工海水は、一定の成分を有するために、特に、有用漁貝類の種苗生産業において、魚貝類の餌となる微生物の培養用に適する。少なくともNa+、Cl-、Ca２+、及びHCO3−を含有する人工海水によれば、餌となる微生物、特にワムシの培養、ひいては耐久卵の生産に好都合なものとなる。
【００２３】
人工海水に含まれる一定成分の割合は、Na+と、Cl-と、Ca２+との質量比での比率が、Na+：Cl-：Ca２+＝５〜10：10〜15：0.1〜5であることを特徴とする。かかる範囲としたのは、ワムシの耐久卵の生産性を向上させるという観点からである。これらの比率は特に限定されるものではないが、さらに、ワムシの耐久卵の生産性を向上させるという観点から、これらの比率を7.86：13.68：0.86の値に近づけるのが好ましい。
【００２４】
本発明の人工海水の好ましい実施態様において、Na+、Cl-、Ca２+が、NaCl、CaCl2由来である。さらに、本発明の人工海水には、K+、Mg2+、SO４２−からなる群から選択される少なくとも1種を含んでもよい。これらの成分によっても十分微生物の耐久卵の生産を促進することができる。K+、Mg2+、SO４２−を、それぞれ単独、又は種々の組み合わせによって人工海水に加えることができる。このような本発明の人工海水は、ミジンコ類、カイアシ類、ワムシなどの有用微生物の培養に良好である。
【００２５】
次に、上記人工海水を用いた本発明の耐久卵の製造方法を説明する。ここで本発明の対象となりうる耐久卵について説明すれば、上述したミジンコ類、カイアシ類、ワムシなどの有用微生物由来の耐久卵に適用することができる。このような微生物に対しては、市販の高価な人工海水を用いなくとも十分に培養することができるからである。ここでいう耐久卵とは、ミジンコ類、カイアシ類、ワムシ類などの微生物の耐久卵を主として意味する。これら微生物のうち、特に有用なものは、養殖魚等の水産物の餌となりうるワムシである。それゆえ、以下ではワムシの耐久卵の製造方法について説明するが、本発明は、これに限定されることを意図するものではない。
【００２６】
まず、ワムシの生活環を説明すれば、生活環には、単性生殖型と両性生殖型とが存在する。雌のワムシには、単性生殖を行って個体群の増殖をもたらすタイプと、生殖細胞に減数分裂を起こして両性生殖を行なうタイプとがあり、前者が単性生殖型であり、後者が両性生殖型である。これらのタイプが一つの個体群を形成している。単性生殖型では、雄無しに増殖する。両性生殖型では、交尾して受精することにより耐久卵（休眠卵）と呼ばれる受精卵を形成する。
【００２７】
したがって、休眠卵（耐久卵）といった受精卵は、両性生殖を通じて形成されるため、両性生殖の誘導は、耐久卵を形成するための第一段階とも言うべきものである。耐久卵の形成過程は、▲１▼両性生殖型の雌の産出、▲２▼雄の産出、▲３▼雄と出生後間もない雌との交尾、▲４▼受精、▲５▼耐久卵の形成、という複数の段階からなる。
【００２８】
なお、両性生殖誘導の方法は、特に限定されず、常法による。例えば、低塩分、低温等にすることによって、両性生殖を誘導することができる。
【００２９】
耐久卵の製造方法の好ましい実施態様において、耐久卵が、ワムシ由来のものであり、ワムシを前記人工海水を使用して培養することにより耐久卵を得ることを特徴とする。ワムシの培養液として、上記本発明の人工海水を用いること以外は、通常のワムシの培養方法と同様のものを用いることができる。例えば、ワムシへの餌の量、頻度、種類、及び培養温度等は常法による。
【００３０】
ワムシの培養に際して、培養開始時のワムシの密度は、なるべく低くすることが望ましい。ワムシの対数増殖期を長くするという観点から、好ましくは、20個体/ml以下とする。培養開始時のワムシ密度を低く設定することにより、培養後、増殖時に活発な両性生殖誘導を引き起こすことができるからである。より好ましくは、培養開始時のワムシの密度が、１〜１０個体／mlである。なお、一般的に、培養開始時のワムシ密度が高いと、対数増殖期が短くなる傾向にある。
【００３１】
なお、ワムシの耐久卵の採取は、特に限定されず常法を用いることができる。例えば、各飼育水から約30μmのプランクトンネットを通じてろ過して耐久卵を採取することができる。
【００３２】
【実施例】
以下、本発明を実施例により更に具体的に説明するが、本発明は、下記実施例に限定して解釈される意図ではない。
【００３３】
実施例１
まず、人工海水およびその構成成分（無機イオン）が耐久卵形成に与える影響について調べた。耐久卵として、ワムシ由来のものを検討した。
【００３４】
１）材料と方法
＜バッチ培養＞
200 ml容のマヨネーズ瓶24本に9 pptの人工海水（7区）と天然海水（1区）をそれぞれ50ml入れた。人工海水の成分組成および天然海水を次のように表記する。
▲１▼［人工海水］             （NaCl + MgSO4 + NaHCO3 + KCl + MgCl2 + CaCl2）
▲２▼［w/o MgSO４］      （NaCl + NaHCO3 + KCl + MgCl2 + CaCl2）
▲３▼［w/o NaHCO３］     （NaCl + MgSO4 + KCl + MgCl2 + CaCl2）
▲４▼［w/o KCl］       （NaCl + MgSO4 + NaHCO3 + MgCl2 + CaCl2）
▲５▼［w/o MgCl２］      （NaCl + MgSO4 + NaHCO3 + KCl + CaCl2）
▲６▼［w/o CaCl２］      （NaCl + MgSO4 + NaHCO3 + KCl + MgCl2）
▲７▼［w/o NaCl］             （MgSO4 + NaHCO3 + KCl + MgCl2 + CaCl2）
▲８▼［天然海水］
マヨネーズ瓶に2個体/ml になるようにワムシを収容した。餌料は，天然海水の影響を除くため，天然海水中で通気培養したN. oculataではなく，市販の淡水産クロレラを用いた。培養条件は，水温20±1℃，塩分9 pptとした。吉村（1993）の方法に従い，少量のエアレーションを施した。ワムシ培養水中のクロレラの密度は，N. oculata の7.0×106cells/mlの乾燥重量（1.61μｇ/ml）と同じになるように2.4×106cells/mlに統一した（Hamada et al. 1993）。ワムシの密度が200個体以上になると1日2回クロレラを給餌し，14日間培養した。それぞれの条件に対して3回培養を行った。
【００３５】
培養期間中，毎日1回各実験区から飼育水ごとワムシを採取し，単性生殖を行い雌ワムシを産出するワムシ(以下、FFという。)，両性生殖を行い雄ワムシを産出するワムシ(以下、MFという)，両性生殖を行い耐久卵を産出するワムシ(以下、RFという)，雄ワムシを計数し，両性生殖誘導率，受精率と個体群増殖率を算出した。1回の採取水量には，少なくとも100〜200個体のワムシを採取できるよう調節した。
【００３６】
培養最終日にマヨネーズ瓶の底に沈んだ耐久卵と親ワムシによって携卵されている耐久卵の総数も計数し，培養期間中に形成された耐久卵の総数を求めた。耐久卵の外部形態から正常卵と異常卵とに分けた。また，全耐久卵数と培養期間中に給餌したクロレラの細胞数から，クロレラ1細胞あたり形成された耐久卵数を求め，耐久卵形成効率の指標とした。
【００３７】
各培養区間で，培養期間中に形成された正常卵数，異常卵数，総耐久卵数と共に，個体群増殖率，両性生殖誘導率，受精率，耐久卵形成効率の平均値を比較した。統計検定にはStatView ver. 5.0（SAS Institute Inc.製）を用い，分散分析によって有意差（p<0.05）が検出された場合には，多重比較検定（Fisher's PLSD test）によって，各培養条件間の比較を行った。
【００３８】
＜耐久卵孵化実験＞
前述の実験で［人工海水］，［w/o MgSO４］，［w/o NaHCO３］，［w/o KCl］，［w/o MgCl２］，［w/o CaCl２］，［天然海水］区の培養期間中に形成された耐久卵を用いて孵化実験を行った。［w/o NaCl］区では耐久卵がほとんど得られなかった為この実験を行わなかった。Hagiwara & Hino（1989）の方法に従い，25℃の暗黒条件下で2カ月耐久卵を休眠させた。耐久卵は正常卵のみを使用した。
ワムシを孵化させるために用いた海水は，新鮮な［天然海水］と新しく作成した［人工海水］の新鮮な海水を使用した。24穴マルチウエルプレートにそれぞれ1.5 mlの海水を入れ，各々に耐久卵を20個ずつ入れた。それぞれの培養条件に対して，5つの穴を使用した。マルチウエルプレートごとに光を当てて耐久卵を孵化させた。
【００３９】
孵化した平均個体数を培養区間で比較した。統計検定にはStatView ver. 5.0（SAS Institute Inc.製）を用い，分散分析によって有意差（p<0.05）が検出された場合には，多重比較検定（Fisher's PLSD test）によって，培養条件間の耐久卵孵化率の比較を行った。
【００４０】
＜人工海水の成分の検討＞
200 ml容のマヨネーズ瓶9本に9 pptの人工海水を30 ml入れた。人工海水の成分組成，pHはそれぞれ次のように設定した。
▲１▼［NaCl+CaCl2］pH 6.8      （NaCl+CaCl2）
▲２▼［NaHCO3］  pH 7.8 （NaCl+CaCl2+ NaHCO3）
▲３▼［人工海水］       pH 7.8 （NaCl + MgSO4 + NaHCO3 + KCl + MgCl2 + CaCl2）
この中にワムシを10個体/mlとなるように収容した。また，餌料に市販の淡水産クロレラを用いた。ワムシ培養水中のクロレラの密度を2.4×106cells/mlに統一し，14日間培養した。培養条件は，水温20±1℃，塩分9 pptの暗黒とした。吉村（1993）の方法に従い，少量のエアレーションを施した。それぞれの条件に対して3回の培養を行った。
【００４１】
培養期間中は，2日に1回の間隔で各実験区から飼育水ごとワムシを採取し，FF，MF，RF，雄ワムシを計数し，両性生殖誘導率と個体群増殖率を算出した。1回の採取水量は，少なくとも100〜200個体のワムシを採取できるよう調節した。
培養最終日にマヨネーズ瓶の底に沈んだ耐久卵と親ワムシによって携卵されている耐久卵の総数も計数し，培養期間中に形成された耐久卵の総数を求めた。耐久卵の外部形態から正常卵と異常卵を分けた。また，全耐久卵数と培養期間中に給餌したクロレラの細胞数から，クロレラ1細胞あたり形成された耐久卵数を求め，耐久卵形成効率の指標とした。
【００４２】
各培養区間で，培養期間中に形成された正常卵数，異常卵数，総耐久卵数，耐久卵形成効率の平均値を比較した。統計検定にはStatView ver. 5.0（SAS Institute Inc.製）を用い，分散分析によって有意差（p<0.05）が検出された場合には，多重比較検定（Fisher's PLSD test）によって，培養条件間の比較を行った。
【００４３】
２）結果
＜バッチ培養＞
ワムシ密度の経日変化を図１に示した。図1は、異なる海水調整におけるB.plicatilis(東京株)の増殖率を示す。○が人工海水NaCl + MgSO4 + NaHCO3 + KCl + MgCl2 + CaCl2）を示し、●は、MgSO４の無い人工海水（NaCl + NaHCO3 + KCl + MgCl2 + CaCl2）を示し、□は、 NaHCO３の無い人工海水（NaCl + MgSO4 + KCl + MgCl2 + CaCl2）を示し、黒四角は、 KClの無い人工海水        （NaCl + MgSO4 + NaHCO3 + MgCl2 + CaCl2）を示し、△は、MgCl２の無い人工海水（NaCl + MgSO4 + NaHCO3 + KCl + CaCl2）を示し、黒三角は、 CaCl２の無い人工海水（NaCl + MgSO4 + NaHCO3 + KCl + MgCl2）を示し、◇は、 NaClの無い人工海水（MgSO4 + NaHCO3 + KCl + MgCl2 + CaCl2）を示す。［w/o NaCl］区では，3日からワムシが減少し，8日には全滅した（図１a）。［w/o CaCl２］区と［w/o NaCl］区を除くすべての培養区は，培養期間を通して増殖し続けた。［w/o CaCl２］区では，最高で12.1個体/ml に止まった。
【００４４】
図２は、B.plicatilis(東京株)の単性生殖型雌(a)及び不受精の両性生殖型雌(ｂ)の増殖率における海水調整の効果を示す。各プロットは、3回の平均値を示す。FF密度も同様の変化を示した（図２a）。MF密度の経日変化を図２bに示した。［人工海水］，［w/o MgSO４］，［w/o MgCl２］，［w/o NaHCO3］，［天然海水］区では，培養期間中を通して増殖し続けた。［w/o KCl］区では，10〜13日目まで急激に増殖し，48.3 個体/mlとなり，それ以後は安定した。［w/o CaCl２］，［w/o NaCl］区では，培養期間中1個体/mlに届かなかった。
【００４５】
図３は、B.plicatilis(東京株)の不受精の両性生殖型雌(a)及び雄(ｂ)の増殖率における海水調整の効果を示す。各プロットは、3回の平均値を示す。RF密度の経日変化を図３aに示した。［w/o MgSO４］，［w/o MgCl２］，［天然海水］区では，培養期間中を通して増殖し続けた。［人工海水］区では，11日目から35.7〜39.7個体/mlの間で安定した。［w/o NaHCO3］区では，11日目に18.7個体/mlに到達した後，減少した。［w/o KCl］区では12日目に26.7個体/mlに到達した後，減少した。［w/o CaCl２］，［w/o NaCl］区では培養期間を通して2個体/mlに届かなかった。
【００４６】
雄密度の経日変化を図３bに示した。［w/o KCl］，［w/o NaHCO３］区では，培養最終日には100個体/ml以上になり，他の培養区より高い値を示した。
【００４７】
図４は、B.plicatilis(東京株)の不受精の両性生殖型雌(a)及び雄(ｂ)の増殖率における海水調整の効果を示す。各プロットは、3回の平均値を示す。両性生殖誘導率の経日変化を図４aに示した。［w/o CaCl２］区と［w/o NaCl］区を除くすべての培養区では，6日目まで0.0〜63.5％の範囲で変動した。［w/o CaCl２］区では5，7，8，12日目（最高85.7％）に他の培養区より高い値になった。［w/o NaCl］区では，3日目〜5日目までは，45〜65％まで増加したが，8日目には0％になった。
【００４８】
受精率の経日変化を図４bに示した。［人工海水］，［w/o MgSO４］区では，8日目まで増加し，それ以降は44.4〜91.1％間で安定して高い割合を示した。［w/o NaHCO３］区では，8〜12日目まで44.1〜58.1％間で高い割合で安定したが，それ以降は減少した。［w/o KCl］区では，9日目に89.8％と最高になり，それ以後は減少した。［w/o MgSO４］区では，11日に89.7％に到達した後，減少した。［w/o CaCl２］区では9日目に80.0％に到達した後，減少した。［w/o NaCl］区では，5日以後0％だった。［天然海水］区では，9日目に91.0％に到達した後， 71.9〜90.1％間で安定した。
【００４９】
図５は、14日培養後の異なる海水調整におけるB.plicatilis(東京株)の耐久卵生産を示す。各カラムは、３回の平均値を示す。各カラムの異なる文字は、はっきりと異なる（a＞ｂ＞ｃ＞ｄ、Fisher’s PLSD test,ｐ＜0．05）。
【００５０】
培養期間中に形成した正常卵数は，培養区間で異なった（分散分析, df＝7, F＝8.708, p=0.0002）。［w/o KCl］，［w/o MgSO４］，［天然海水］，［人工海水］，［w/o MgCl２］，［w/o NaHCO３］，［w/o CaCl２］，［w/o NaCl］区の順に多くの正常卵を形成した（Fisher's PLSD, p<0.05, Fig. Ｖ-12-a）。培養中に形成された異常卵数も，培養区間で異なった（分散分析, df＝7, F＝6.206, p=0.0012）。［天然海水］，［w/o MgSO４］，［w/o KCl］，［w/o MgCl２］，［人工海水］，［w/o NaHCO３］，［w/o CaCl２］，［w/o NaCl］区の順に多くの異常卵を形成した（Fisher's PLSD, p<0.05, 図５b）。
【００５１】
図６は、14日培養後の異なる海水調整におけるB.plicatilis(東京株)の耐久卵生産を示す。各カラムの異なる文字は、はっきりと異なる（a＞ｂ＞ｃ＞ｄ、Fisher’s PLSD test,ｐ＜0．05）。各カラムは、３回の平均値を示す。培養最終日に計数した親ワムシによって携卵されている耐久卵についても，培養区間で異なった（分散分析, df＝7, F＝12.361, p=0.0001）。［w/o MgSO４］，［人工海水］，［天然海水］，［w/o MgCl２］，［w/o KCl］，［w/o NaHCO３］，［w/o CaCl２］，［w/o NaCl］区の順に多くのワムシが耐久卵を携卵していた（Fisher's PLSD, p<0.05, 図６a）。
【００５２】
培養期間中に形成した総耐久卵数については，それぞれの培養区間で異なった（分散分析, df＝7, F＝17.318, p=0.0001）。［w/o MgSO４］，［天然海水］，［w/o KCl］，［人工海水］，［w/o MgCl２］，［w/o NaHCO３］，［w/o CaCl２］，［w/o NaCl］の順に多くの耐久卵を形成した（Fisher's PLSD, p<0.05, 図６b）。
【００５３】
培養期間中の個体群増殖率，両性生殖誘導率，ともに［w/o CaCl２］区と［w/o NaCl］区が他の区より低い値を示した（Fisher's PLSD, p<0.05, 表１）。受精率については，［w/o CaCl２］［w/o NaCl］［w/o MgSO４］［w/o NaHCO３］区が他の区より低い値を示した（Fisher's PLSD, p<0.05, 表１）。
【００５４】
【表１】
0003782999.tif 000002
耐久卵形成効率も，それぞれの培養区間で大きく異なった（分散分析, df＝7, F＝16.398, p=0.0001）。
【００５５】
図７は、14日間培養中の、異なる海水調整でのC.vulgaris 食事療法のセル当たりのB.plicatilis(東京株)耐久卵生産を示す。各カラムは、３回の平均値を示す。各カラムの異なる文字は、はっきりと異なる（a＞ｂ＞ｃ＞ｄ、Fisher’s PLSD test,ｐ＜0．05）。［w/o MgSO４］，［天然海水］，［w/o KCl］，［人工海水］，［w/o MgCl２］，［w/o NaHCO３］，［w/o CaCl２］，［w/o NaCl］の順に耐久卵の形成効率が高くなった（Fisher's PLSD, p<0.05, 図７）。
【００５６】
＜耐久卵孵化実験＞
図８は、異なる海水調整によって形成されたB.plicatilis(耐久卵のハッチング率を示す。各カラムは、５回の平均値を示す。バーは、平均S.D.を示す。新しく作成した［人工海水］中で耐久卵を孵化させた場合，親ワムシの培養条件によって孵化率に差はなかった（図８a）。新鮮な［天然海水］で耐久卵を孵化させた場合には親ワムシの培養条件の間で有意差が検出された（分散分析, df＝6, F＝2.475, p=0.0478），［w/o MgCl２］区と［w/o CaCl２］区の間に差があった。（Fisher's PLSD, p<0.0,5 Fig. 図８b）。
【００５７】
＜人工海水の成分の検討＞
培養最終日のpHは，［人工海水］区がpH 7.2，［NaCl+CaCl2］区がpH 7.6，［NaH0CO3］区がpH 7.6だった。
【００５８】
図９は、B.plicatilis(東京株；○NaCl + CaCl2、●NaCl + CaCl2+ NaHCO3 、△人工海水）の全雌(a)及び全雄(b)の増殖率における海水調整の影響を示す。最初のスタッキング密度は、10個体/mlであった。各カラムは、３回の平均値を示す。
ワムシ密度の経日変化を図９aに示した。培養期間を通して，［NaCl+CaCl2］区では，他の区より低くなった。また，すべての培養区で培養最終日まで徐々に増殖した。
【００５９】
雄密度の経日変化を図９bに示した。［NaCl+CaCl2］，［NaHCO3］区は培養最終日まで徐々に増殖した。［人工海水］区では，10日目に減少したが，それ以後は増殖した。
【００６０】
図１０は、B.plicatilis(東京株；○NaCl + CaCl2、●NaCl + CaCl2+ NaHCO3 、△人工海水)の全雌(a)及び全雄(b)の混合したものの海水調整の影響を示す。各プロットは、3回の平均値を示す。両性生殖誘導率の経日変化を図１０に示した。培養期間を通して，最も高い両性生殖誘導率を示したのは［人工海水］区だった。また，すべての培養区で両性生殖誘導率は，12日目に最高の値を示し，それ以後は減少した。
【００６１】
図１１は、14日間培養後の、異なる海水調整でのB.plicatilis(東京株)耐久卵生産を示す。各カラムは、３回の平均値を示す。各カラムの異なる文字は、はっきりと異なる（a＞ｂ＞ｃ＞ｄ、Fisher’s PLSD test,ｐ＜0．05）。培養期間中に形成した正常卵数は，培養区間で異なった（分散分析, df＝2, F＝19.487, p=0.0024）。3つの培養区の中で［人工海水］区の正常卵数が最も多かった（Fisher's PLSD, p<0.05, 図１１）。異常卵数，総耐久卵数についても［人工海水］区が最も多く耐久卵を形成した（Fisher's PLSD, p<0.05）。
【００６２】
それぞれの培養区間で，培養期間中の個体群増殖率と両性生殖誘導率に差は見られなかった。
【００６３】
図１２は、14日間培養中の、異なる海水調整でのC.vulgaris 食事療法のセル当たりのB.plicatilis(東京株)耐久卵生産を示す。各カラムは、３回の平均値を示す。各カラムの異なる文字は、はっきりと異なる（a＞ｂ＞ｃ＞ｄ、Fisher’s PLSD test,ｐ＜0．05）。耐久卵の形成効率も培養区間で異なり（分散分析, df＝2, F＝25.137, p=0.0012），3つの培養区の中で［人工海水］区の耐久卵の形成効率が最も高かった（Fisher's PLSD, p<0.05, 図１２）。
【００６４】
以上の結果、人工海水の6種類の成分がワムシの耐久卵形成にどのように関わっているかを調べた。天然海水と同様に人工海水中でも耐久卵形成をが起こることを明らかにした。そこで，人工海水中の，どの化学成分がワムシの耐久卵形成，両性生殖誘導率，ワムシ増殖に関わっているか検討した。まず，ワムシの増殖にはCaCl２とNaClが不可欠である事が分かった。他の薬品を抜いた培養区では，ワムシ増殖に影響見られなかった。耐久卵形成数について総耐久卵数の最も多かった培養区は，［w/o MgSO４］区だった（図６、７）。また，［人工海水］区と［w/o MgCl2］区の間に耐久卵形成数に差がなかったため，SO42- （硫酸イオン）が耐久卵の形成を阻害したと思われる。耐久卵が少なかったのは，［w/o NaCl］区と［w/o CaCl２］区，次いで［w/o NaHCO３］区であった（図６，７）。［w/o NaHCO３］区は，ワムシの増殖そのものは他の培養区と変わらなかった（図1）。NaHCO３は溶液中でpHの緩衝作用をもつ。そのため，pHがワムシの耐久卵形成に影響を与えた可能性がある。別に，Na+とCa+は，カルシウムチャンネル関係し，HCO３＋は細胞膜のイオンの排出に使われるイオンである。そのため，ワムシにもカルシウムチャンネルなどの生理学的作用が働いている可能性がある。
【００６５】
また，人工海水，天然海水の相方で耐久卵を孵化させても，培養区間で孵化率に顕著な差は見られなかった（図８）。このことから，耐久卵の卵の孵化にも人工海水を使用できることが分かった。
【００６６】
また，NaClとCaCl2で培養した場合，人工海水と同様の増殖を示した（図１０）。そのため，通常のワムシ培養であれば，NaCl，CaCl2のみで培養できることが分かった。
【００６７】
しかし，耐久卵形成数は，NaClとCaCl2にNaHCO3を添加しても［人工海水］区にはおよばなかった。そのため，ワムシの耐久卵形成には，NaCl，CaCl2，NaHCO3の他に別の成分が必要と考えられる。その成分が培養濾液に含まれている可能性もある。今後は，両性生殖を活発にさせる物質を特定し，耐久卵の大量形成に応用できれば耐久卵の形成効率が上がる可能性がある。
【００６８】
実施例２
実施例1の結果をもとにして、ワムシの増殖と耐久卵形成に必要と判断された人工海水の成分のみを用いて、培養をおこなった。その結果を、図13に示す。図13は、異なる海水でバッチ培養した時の平均耐久卵形成率と培養期間中の最高密度を示す。
【００６９】
この結果、NaCl+CaCl2+NaHCO3で組成した人工海水では、6種の化学薬品で組成した人工海水と比較して耐久卵形成が抑制されたものの、ワムシの良好な培養海水であることが判明した。
【００７０】
NaCl+CaCl2+NaHCO3に、MgSO4、KCｌ、MgCl2のいずれか1つを加えると人工海水と同様にワムシは増殖し、耐久卵形成も同等であることが判明した。
この結果、人工海水でワムシを培養した場合、天然海水と同様にワムシは、増殖し、耐久卵形成も全く同等であることが明らかになり、人工海水からNaCl、CaCl２以外の成分を除いてもワムシの増殖と耐久卵の製造を阻害しないことが判明した。
【００７１】
【発明の効果】
本発明のワムシ耐久卵の製造方法によれば、耐久卵形成数の変動が小さく、耐久卵の大量生産が可能とであるという有利な効果を奏する。
【００７２】
また、本発明のワムシ耐久卵の製造方法によれば、市販の人工海水より安価であり、しかもワムシ耐久卵形成も促進し得るという有利な効果を奏する。
【図面の簡単な説明】
【図１】  図1は、異なる海水調整におけるB.plicatilis(東京株)の増殖率を示す。○が人工海水NaCl + MgSO4 + NaHCO3 + KCl + MgCl2 + CaCl2）を示し、●は、MgSO４の無い人工海水（NaCl + NaHCO3 + KCl + MgCl2 + CaCl2）を示し、□は、 NaHCO３の無い人工海水（NaCl + MgSO4 + KCl + MgCl2 + CaCl2）を示し、黒四角は、 KClの無い人工海水        （NaCl + MgSO4 + NaHCO3 + MgCl2 + CaCl2）を示し、△は、MgCl２の無い人工海水（NaCl + MgSO4 + NaHCO3 + KCl + CaCl2）を示し、黒三角は、 CaCl２の無い人工海水（NaCl + MgSO4 + NaHCO3 + KCl + MgCl2）を示し、◇は、 NaClの無い人工海水        （MgSO4 + NaHCO3 + KCl + MgCl2 + CaCl2）を示す。
【図２】  図２は、B.plicatilis(東京株)の単性生殖型雌(a)及び不受精の両性生殖型雌(ｂ)の増殖率における海水調整の効果を示す。各プロットは、3回の平均値を示す。
【図３】  図３は、B.plicatilis(東京株)の不受精の両性生殖型雌(a)及び雄(ｂ)の増殖率における海水調整の効果を示す。各プロットは、3回の平均値を示す。
【図４】  図４は、B.plicatilis(東京株)の不受精の両性生殖型雌(a)及び雄(ｂ)の増殖率における海水調整の効果を示す。各プロットは、3回の平均値を示す。
【図５】  図５は、14日培養後の異なる海水調整におけるB.plicatilis(東京株)の耐久卵生産を示す。各カラムは、３回の平均値を示す。各カラムの異なる文字は、はっきりと異なる（a＞ｂ＞ｃ＞ｄ、Fisher’s PLSD test,ｐ＜0．05）
【図６】  図６は、14日培養後の異なる海水調整におけるB.plicatilis(東京株)の耐久卵生産を示す。各カラムの異なる文字は、はっきりと異なる（a＞ｂ＞ｃ＞ｄ、Fisher’s PLSD test,ｐ＜0．05）。各カラムは、３回の平均値を示す。
【図７】  図７は、14日間培養中の、異なる海水調整でのC.vulgaris 食事療法のセル当たりのB.plicatilis(東京株)耐久卵生産を示す。各カラムは、３回の平均値を示す。各カラムの異なる文字は、はっきりと異なる（a＞ｂ＞ｃ＞ｄ、Fisher’s PLSD test,ｐ＜0．05）。
【図８】  図８は、異なる海水調整によって形成されたB.plicatilis(耐久卵のハッチング率を示す。各カラムは、５回の平均値を示す。バーは、平均S.D。を示す。
【図９】  図９は、B.plicatilis(東京株；○NaCl + CaCl2、●NaCl + CaCl2+ NaHCO3 、△人工海水）の全雌(a)及び全雄(b)の増殖率における海水調整の影響を示す。最初のスタッキング密度は、10個体/mlであった。各カラムは、３回の平均値を示す。
【図１０】  図１０は、B.plicatilis(東京株；○NaCl + CaCl2、●NaCl + CaCl2+ NaHCO3 、△人工海水)の全雌(a)及び全雄(b)の混合したものの海水調整の影響を示す。各プロットは、3回の平均値を示す。
【図１１】  図１１は、14日間培養後の、異なる海水調整でのB.plicatilis(東京株)耐久卵生産を示す。各カラムは、３回の平均値を示す。各カラムの異なる文字は、はっきりと異なる（a＞ｂ＞ｃ＞ｄ、Fisher’s PLSD test,ｐ＜0．05）。
【図１２】  図１２は、14日間培養中の、異なる海水調整でのC.vulgaris 食事療法のセル当たりのB.plicatilis(東京株)耐久卵生産を示す。各カラムは、３回の平均値を示す。各カラムの異なる文字は、はっきりと異なる（a＞ｂ＞ｃ＞ｄ、Fisher’s PLSD test,ｐ＜0．05）。
【図１３】  図1３は、異なる海水でバッチ培養した時の平均耐久卵形成率と培養期間中の最高密度を示す。
【図１】
0003782999.tif 000003
【図２】
0003782999.tif 000004
【図３】
0003782999.tif 000005
【図４】
0003782999.tif 000006
【図５】
0003782999.tif 000007
【図６】
0003782999.tif 000008
【図７】
0003782999.tif 000009
【図８】
0003782999.tif 000010
【図９】
0003782999.tif 000011
【図１０】
0003782999.tif 000012
【図１１】
0003782999.tif 000013
【図１２】
0003782999.tif 000014
【図１３】
0003782999.tif 000015